(57)【要約】  【課題】  スラブ用スリーブの開口への蓋であって、コンクリート打設後には容易に外すことができる蓋であり、また外す時には蓋にキズや破損がなく、よって廃棄することもなく再度の利用が可能な蓋であり、また配管の際には、配管と配管用穴のとの間の空間を埋めるコンクリート作業が良好に行える蓋を提供することにある。【解決手段】  開口の外周に嵌合される円環状のフランジ１２を有する蓋本体１０と、フランジ１２の外周に嵌めてこの外周を覆う状態となる環状部材２０とを有し、この環状部材２０の下端にはこの環状部材２０の内方に突出した凸部２３が周設され、環状部材２０に蓋本体１０を嵌めた状態において、フランジ１２の下端を下から覆うことのできる形状に凸部２３が形成されると共に、フランジ１２の外周面と環状部材２０との間に上方開口した空隙部が形成されることを特徴とする  【選択図】  図２
2005155091.tif 000002
【特許請求の範囲】
【請求項１】
スラブ用スリーブの開口への蓋であって、
前記開口の外周に嵌合される円環状のフランジを有する蓋本体と、前記フランジの外周に嵌めてこの外周を覆う状態となる環状部材とを有し、この環状部材の下端にはこの環状部材の内方に突出した凸部が周設され、
前記環状部材に前記蓋本体を嵌めた状態において、前記フランジの下端を下から覆うことのできる形状に前記凸部が形成されると共に、前記フランジの外周面と環状部材との間に上方開口した空隙部が形成されることを特徴とするスラブ用スリーブの蓋。
【請求項２】
環状部材の外周面が下方に閉じるテーパーに形成されたことを特徴とする請求項１記載のスラブ用スリーブの蓋。
【請求項３】
環状部材の下端が、開口に蓋をした際のスリーブの長手に略垂直な底面を有していることを特徴とする請求項１又は２記載のスラブ用スリーブの蓋。
【請求項４】
環状部材内面には空隙部を確保する為のリブを有することを特徴とする請求項１〜３のいずれか記載のスラブ用スリーブの蓋。
【発明の詳細な説明】
【技術分野】
【０００１】
この発明は、ビル工事などにおいて、各階の床となるスラブを打設する際に用いるスリーブの開口への蓋に関する。
【背景技術】
【０００２】
ビルには、各種配管が各階を上下に貫通している。これは各階の床に配管用の穴が開けられていて、ここに配管を通すのである。従って、ビル工事などにおいては、各階のコンクリート床（これをスラブという）を打設する際には、このスラブを上下に貫通する配管用のための貫通穴（以下、「配管用穴」という）を確保する必要がある。その為、スラブを打設する際には、図２０〜２１に示す様に、スラブの下面となる位置に木の板などを水平面状に張ってデッキ４０とし、この上に厚紙や塩化ビニールによる円筒状のスリーブ５０をデッキ４０の上に、釘止めなどして立ておくのである。スリーブ５０はスラブの上下厚の高さにしてあり、デッキ４０上にこの高さだけコンクリートを打設することによりコンクリート床であるスラブが形成されるのである。その際、スリーブ開口５１には、打設するコンクリートがスリーブ開口５１に流れ込まない様に蓋をしたり、ガムテープで塞いだりしている。蓋には例えば本願出願人の出願による蓋がある（特許文献１参照）。
【０００３】
この蓋１０１は、図２２〜２３に示す様に、プラスチックなどにより、円板１１１とその周縁から下方に延びる第一のフランジ１１２が形成されていて、この第一のフランジ１１２の内方に形成される一回り小さい第二のフランジ１１３と共に、スリーブ開口５１に対する嵌合溝を形成している。
【０００４】
この様な蓋１０１を、図２１図、２４(ａ)に示す様に、スリーブ開口５１に被せた状態で準備し、デッキ４０にコンクリート６０を打設し（図２４(ｂ)）、コンクリート６０を養生してスラブＳを形成した後には、このスラブＳの上面とほぼ面一となっている蓋１０１を外し（図２４(ｃ)）、またスラブＳの下面からはデッキ４０を外し、更にはスリーブ５０を破るなどして外すことにより、スラブＳには上下に貫通した配管用穴６１が完成されるのである。
【０００５】
この配管用穴６１には予定されていた配管８０が上下に通されるのであるが（図２４(ｄ)）、配管用穴６１は配管作業の為の遊びの為に、配管８０よりは大きな径に形成されており、その為に配管８０と配管用穴６１との間には空間が開くこととなる。その為、この配管８０の周囲に出来た空間に、再度、コンクリート６５を流し込んで埋めている。埋める際には、図２５(ｅ)に示す様に、例えばエー・パットと呼ばれる閉止材５２で空間の下方を塞ぎ、上からコンクリートをスラブ上面に揃うまで流し込むのである。
【特許文献１】特開平１１−２８０２５４号公報
【発明の開示】
【発明が解決しようとする課題】
【０００６】
ただ、以上の作業の中で、養生された後に蓋を外そうとすると、図２４(ｂ)に示す様に蓋１０１の外周部分が埋まっている。しかし、蓋１０１はこの外周だけしか埋まっていない状態であっても、コンクリート６０により外せない状態である。その為、図２４(ｃ)に示す様に、鑿７１と槌７２で蓋の周辺のコンクリートに穴を削って開け、この穴に鑿７１その他の工具を入れて蓋１０１をこじって外している。しかしこの様な蓋１０１は、１つのビル工事で１００〜２００箇所程度はあり、その１つ１つにこの様な作業をするのは、大変な負担となっている。
【０００７】
また上記の方法で外そうとしても、どうしてもコンクリートから外れない場合があり、或いは、外れても外れるまでの手間が大変であったりし、これらの理由で、実際には蓋をハンマーで破るなどして外している例も多い。その様な場合、破った蓋は再度使うことができないので、廃棄することになるが、その廃棄する量も可成りな量となるので、産業廃棄物としての処理の負担が増大している。
【０００８】
また蓋を外すのは、中のスリーブを取り除いて配管用の穴を完成させておくためであり、完成したら、配管工事の予定日までの間は、この穴を外した蓋で再度、閉じておくのが望ましい。閉じておかないと、作業員の足場として不具合であり、物が落ちたり、雨の際には雨水が流れ落ちたりなど、様々な不具合があるからである。この様な事情があっても、蓋を破って外したのではその蓋が使えないのであり、これが不具合となっている。
【０００９】
また配管８０と配管用穴６１との間にできる空間は、再度、コンクリートを流し込んで塞いでいるものの、このコンクリート６５の養生の際には収縮するので、これにより、図２５(ｆ)に示す様に種々の不具合が生じている。まず、配管８０と配管用穴６１との間の空間が縦長であるため、このコンクリート６５が養生の過程で縦方向に縮み、その為、コンクリート上面６５ａが陥没してしまって、スラブ上面と面一でなくなってしまう。また配管用穴６１の内面は縦方向の面であるが、その為に再度流し込んだコンクリート６５がこの縦の面から剥がれて配管用穴とコンクリートとが剥がれて亀裂６５ｂが生じることがある。そのためこれら陥没部分６５ａや亀裂部分６５ｂに更にコンクリートの流し込みをして補修しなければならない場合がある。
【００１０】
よって本願発明の解決しようとする課題は、スラブ用スリーブの開口への蓋であって、コンクリート打設後には容易に外すことができる蓋であり、また外す時には蓋にキズや破損がなく、よって廃棄することもなく再度の利用が可能な蓋であり、また配管の際には、配管と配管用穴のとの間の空間を埋めるコンクリート作業が良好に行える蓋を提供することにある。
【課題を解決するための手段】
【００１１】
以上の課題を解決するため、本願請求項１記載の発明は、スラブ用スリーブの開口への蓋であって、前記開口の外周に嵌合される円環状のフランジを有する蓋本体と、前記フランジの外周に嵌めてこの外周を覆う状態となる環状部材とを有し、この環状部材の下端にはこの環状部材の内方に突出した凸部が周設され、前記環状部材に前記蓋本体を嵌めた状態において、前記フランジの下端を下から覆うことのできる形状に前記凸部が形成されると共に、前記フランジの外周面と環状部材との間に上方開口した空隙部が形成されることを特徴とするスラブ用スリーブの蓋である。
【００１２】
請求項２記載の発明は、請求項１記載のスラブ用スリーブの蓋において、環状部材の外周面が下方に閉じるテーパーに形成されたことを特徴とするスラブ用スリーブの蓋である。
【００１３】
請求項３記載の発明は、請求項１又は２記載のスラブ用スリーブの蓋において、環状部材の下端が、開口に蓋をした際のスリーブの長手に略垂直な底面を有していることを特徴とするスラブ用スリーブの蓋である。
【００１４】
請求項４記載の発明は、請求項１〜３のいずれか記載のスラブ用スリーブの蓋において、環状部材内面には空隙部を確保する為のリブを有することを特徴とするスラブ用スリーブの蓋である。
【発明の効果】
【００１５】
本願発明によれば、スラブを養生した後に蓋を外そうとした場合には、蓋本体がコンクリートに直接には埋まっておらず、環状部材には填ったままの状態でいるので、単にこの環状部材から外すだけでよい。また環状部材は、蓋本体を外した後に外すので、環状部材の内方に蓋が外れて出来た状態で外すこととなり、内方に撓ませるなどして外すことができる。またスリーブが開口した状態なため、外す作業も行いやすい。
【００１６】
また蓋本体も環状部材も、何ら破損することなく外せるので、破るなどして外した場合と違って、再度、利用することができる。つまり、外してスリーブなどの取り除き作業を終えた後では、穴を外した蓋で再度蓋することができ、配管工事までの間、この穴を閉じておくことができる。
【００１７】
また上記の様な、１つの工事での再利用に止まらず、他の工事にも繰り返して使うことができるのであり、その為、産業廃棄物として廃棄する手間や負担も無くなる。
【００１８】
またこの様な蓋を用いると、配管用穴の開口部分には蓋をかたち取った凹部が周設された状態となり、この配管用穴と配管との間の隙間をコンクリートで埋めた時には、そのコンクリートのスラブ上面からの陥没が抑えられる。また、配管用穴と流し込んだコンクリートとの間に生じていた亀裂も生じ難くなる。その為、従来であれば、流し込んだコンクリートの養生後に、陥没や亀裂を補修するコンクリート作業が際にもう一度必要な場合が多々あったが、この様な追加の補修が不要になる。
【発明を実施するための最良の形態】
【００１９】
次ぎに、本願発明のスラブ用スリーブの蓋の実施例を図をもって説明する。
この蓋１は、図１〜４に示す様に、プラスチック製の蓋本体１０と、この蓋本体１０とは別体のやはりプラスチック製の環状部材２０とから成っている。
【００２０】
蓋本体１０は、図５〜６に示す様に、円板部１１の周縁から下方に延設された円筒状のフランジ１２を有している。そしてこれを第一のフランジ１２として、その内方に形成される一回り小さい円筒の第二のフランジ１３との間に、スリーブ開口に対する嵌合溝１４を形成している。第二のフランジ１３は第一のフランジ１２よりは下方に長い円筒として形成されている。また第二のフランジ１３の内側には、図７に示す様に、蓋本体の中心から放射状に延びた３本の針部が蓋本体と一体成型にて条設１５されており、蓋本体の強度を高めている。
【００２１】
環状部材２０は、図８に示す様に、略リング状を成しており、蓋本体１０の外周に嵌めてこの外周を覆う状態となるものである。この環状部材２０はその外周面２１が、図９〜１１に示す様に下方に閉じるテーパーに形成されており、その内周面２２は図１０に示した様に、縦方向の側面に形成されている。更にこの内周面は、第一のフランジ１２より僅かに径が大きく成っていて、蓋本体１０と環状部材２０との間に空隙部３０（図１、図３参照）が形成される様になっている。
また、この環状部材２０の内周面２２には、蓋本体１０に嵌めた時にこの蓋本体１０の外周面１０’に当接する縦筋状のリブ２６が、内周面２２から突設する様に一体成型され、空隙部３０の確保をより確実にしている。つまりコンクリートを打設・養生する場合、環状部材２０がコンクリートの圧力により変形し、蓋本体１０との間の空隙部３０が潰れ気味になることがあり、結果、空隙部３０が消失したり、消失はしないものの空隙部３０が小さくなってしまうことがあるのである。しかしリブ２６は２本１組とし形成されており、又この２本はドライバーなどの工具が入れられる程度の間隔を空けてある。そして蓋本体１０を嵌めるとこのリブ２６が蓋本体１９の外周１０ａに当接する様になっており、よってこの２本のリブ２６，２６に挟まれた空隙部３０は潰れ難くなるからである。さらに環状部材２０にはその内周に、この様なリブ２６の２本組が均等間隔で４組配置されている。
【００２２】
またこの環状部材２０の下端には、図１、図１２〜１３に示す様に、この環状部材２０の内方に突出した凸部２３が周設され、環状部材２０に蓋本体１０を嵌めた状態において、図４に示す様に、フランジ１２の下端１２ａを下から覆うことのできる形状にこの凸部２３が形成されている。
つまりこの凸部２３の断面形状は、図１２〜１３に示した様に、第一のフランジ１２の内面１２ａと概ね面一に揃う様な内周端面２３ａと、スリーブの長手に略垂直な面となる環状部材の底面２４と、第一のフランジの下端から覆う段部面２３ｂとを有している。
更に、この環状部材２０を蓋本体１０に嵌め、蓋本体１０側の第一のフランジ１２が環状部材側２０の凸部２３に当接する位置まで嵌めると、図４に示した様に、環状部材２０の上端２５は蓋本体の上面１３と概ね面一となる高さに形成されている。
【００２３】
次ぎに、本実施例の蓋の用い方を説明する。
まず、従来技術に示した図２０〜２１と同様に、スラブを打設するための木製デッキ４０に厚紙による円筒のスリーブ５０を位置決めして立て、これを釘で木製デッキ４０に打ち付けて固定する（図１４(ａ)）。そしてスリーブ５０の開口５１には、環状部材２０に蓋本体１０を嵌めてある蓋１を被せる（図１４(ｂ)）。この状態で、コンクリート６０を所定厚みに打設し、養生する（図１４(ｃ)）。養生されたら、蓋の空隙部にドライバー７０などの道具を入れ、蓋本体１０を外す（図１４(ｄ)）。蓋本体１０は環状部材２０に覆われていて、コンクリート６０に直接埋まっている訳ではなく、またコンクリート６０に接触する箇所もないので、容易に蓋本体１０を外すことができるのである。外すと、環状部材２０だけがスリーブの開口５１に残って、このスリーブの開口が開いた状態となる。次ぎに、スリーブ側この残った環状部材２０も外す（図１５(ｅ)）。環状部材２０はコンクリート６０に埋まった状態ではあるが、蓋本体１０が無くなって環状部材２０の内方に空間ができているので、その分、内方に撓ませることができ、外すのは容易なのである。次ぎに木製デッキ４０とスリーブ５０を外し、スラブのコンクリート６０に配管用穴６１が現れた状態となる（図１５(ｆ)）。ここに予定されていた配管８０を通し（図１５(g)）、エー・パット５２で隙間の下を塞ぎ、配管８０と配管用穴６１との間に、コンクリート６５を流し込んで隙間を埋めるのである（図１５(ｈ)）。
【００２４】
この状態で流し込んだコンクリート６５を養生すると、従来に比べて次の様な違いが生ず。まず、流し込む前の配管用穴６１には、穴の上方に蓋の跡が凹設された凹部６２として残っているが、この凹部６２は環状部材２０の外形形状に対応したものとなる。つまり凹部６２は、環状部材２０の底面２４に対応した肩部６３と、環状部材２０の外周面２１に対応したテーパーな斜面６４を有する様に形成されるのである。そして流し込まれたコンクリート６５も、この凹部６２の形状に形成されるのである。この様な状態でコンクリート６５が養生させると、流し込んだコンクリート６５が縦方向に縮もうとするが、この時、固まってきたコンクリート６５は、その上方が凹部６２の水平な肩部６３に係止した状態となり、縮むのを阻止することとなる。その為に、養生後のコンクリート６５は、スラブと面一に流し込んだ時と同様に、スラブとの面一な状態がほぼ保たれており、従来の様な陥没が生ずることも、この陥没の補修に再度のコンクリートを流し込む必要がないのである。
【００２５】
また凹部６２の斜面６４にも割れ目が生じることが無くなり、従来の様な割れ目の補修と云うことも不要になるのである。割れ目が生じないのは、凹部６２の側面が斜面６４になっているからであり、この様に側面が斜面６４であると、側面が真っすぐに縦な面である場合のような乾燥による亀裂が入り難くなるのである。流し込んだコンクリートの乾き方が、凹部の周縁部分とその他の部分とでの異なる等によるのではないかと思われる。
【００２６】
図１６は別の実施例である。この蓋１Ａは、上記実施例の蓋本体１０と同じ蓋本体１０ａを用いながらも、環状部材２０ａの形状を違えたものである。即ち、環状部材２０ａは、蓋本体１０ａに嵌めた時の端面形状が概ね図１７に例示する様な形状である。環状部材２０ａの内面２２ａは、蓋本体１０ａの外周面１０ａ’に重なる様に形成され、外周面は下方にテーパーに形成されているのである。しかし、環状部材２０ａはその全周の２箇所では、図１８〜１９に２例を示した様な端面形状にて、環状部材２０ａが上方に開いて空隙３０ａ部を形成している。いずれも、フランジの下端をしたから覆うことのできる凸部が形成されており、また環状部材の下端には、スリーブの長手に垂直な底面を有しているものである。
【００２７】
なお本願発明は上記実施例に限るものではなく、本願発明の趣旨の範囲でどの様に、実施されてもよい。
リブは縦長で無くてもよく、突起形状はどのようでもいい。蓋は、蓋本体に環状部材が嵌めてある状態に限らず、外した状態でも本願発明の蓋である。環状部材が蓋本体の外周を覆うとは、環状部材が蓋本体の外周に当接した状態で覆うものと、当接しない状態で覆うものとを含む。
【図面の簡単な説明】
【００２８】
【図１】この図は、実施例に示した蓋の斜視図である。
【図２】この図は、蓋の分解斜視図である。
【図３】この図は、蓋の平面図である。
【図４】この図は、図３におけるＡ−Ａ端面図である。
【図５】この図は、蓋本体の斜視図である。
【図６】この図は、蓋本体を図３におけるＡ−Ａと同じ線で切った際の端面図である。
【図７】この図は、蓋本体を裏返した時の斜視図である。
【図８】この図は、環状部材の平面図である。
【図９】この図は、環状部材の正面図である。
【図１０】この図は、図８におけるＣ−Ｃ断面図である。
【図１１】この図は、図９におけるＤ−Ｄ端面図である。
【図１２】この図は、図４の部分拡大図である
【図１３】この図は、図３におけるＢ−Ｂ端面の部分拡大図である。
【図１４】この図は、スラブの打設と配管後の隙間の埋込との作業の説明図である。
【図１５】この図は、図１３に続く作業の説明図である。
【図１６】この図は、蓋の別の実施例の平面図である。
【図１７】この図は、図１６のＥ−Ｅ断面における蓋の断面形状の例を説明する図であり、スリーブに被せた状態で、且つ、打設されたコンクリートとの関わり方を示している。
【図１８】この図は、図１６のＦ−Ｆ断面における蓋の断面形状の例を説明する図であり、スリーブに被せた状態で、且つ、打設されたコンクリートとの関わり方を示している。
【図１９】この図は、図１４のＥ−Ｅ断面における蓋の断面形状の別の例を説明する図である。
【図２０】この図は、デッキにスリーブとこのスリーブに従来の蓋とを取り付ける図である。
【図２１】この図は、図２０の取り付けが完了した際の図である。
【図２２】この図は、従来のスリーブの蓋の斜視図である。
【図２３】この図は、従来のスリーブの蓋の断面の説明である。
【図２４】この図は、従来の蓋を用い際の、スラブの打設と配管後の隙間の埋込との作業の説明図である。
【図２５】この図は、図２４に続く作業の説明図である。
【符号の説明】
【００２９】
１  蓋
１０  蓋本体
１０’蓋本体の外周面
１１  円盤部
１２  第一のフランジ
１３  第二のフランジ
２０  環状部材
２１  環状部材の外周面
２２  環状部材の内周面
２３  凸部
２３ａ  凸部の内周端面
２３ｂ  凸部の段部面
２４  底面
３０  空隙部
４０  デッキ
５０  スリーブ
５１  開口
６０  スラブのコンクリート
６１  配管用穴
６２  凹部
６３  肩部
６４  斜面
６５  配管と配管用穴との空間に流し込んだコンクリート
６５ａ  陥没
６５ｂ  亀裂
８０  配管
【図１】
2005155091.tif 000003
【図２】
2005155091.tif 000004
【図３】
2005155091.tif 000005
【図４】
2005155091.tif 000006
【図５】
2005155091.tif 000007
【図６】
2005155091.tif 000008
【図７】
2005155091.tif 000009
【図８】
2005155091.tif 000010
【図９】
2005155091.tif 000011
【図１０】
2005155091.tif 000012
【図１１】
2005155091.tif 000013
【図１２】
2005155091.tif 000014
【図１３】
2005155091.tif 000015
【図１４】
2005155091.tif 000016
【図１５】
2005155091.tif 000017
【図１６】
2005155091.tif 000018
【図１７】
2005155091.tif 000019
【図１８】
2005155091.tif 000020
【図１９】
2005155091.tif 000021
【図２０】
2005155091.tif 000022
【図２１】
2005155091.tif 000023
【図２２】
2005155091.tif 000024
【図２３】
2005155091.tif 000025
【図２４】
2005155091.tif 000026
【図２５】
2005155091.tif 000027